(57)【要約】【課題】コスト面で有利にすることができるとともに効率良く照明を行うことができる照明器具を提供する。【解決手段】照明器具１０は、器具筐体１１と、器具筐体１１の中央部に固定された光源１３と、光源１３の周りに配置された反射鏡１４と、を備え、反射鏡１４は、光源１３の略中心位置を共通の１つの略焦点位置とするように複数の回転対称放物面反射部１５，１６またはその一部を設けた。【選択図】図２
2010170953.tif 000002
【特許請求の範囲】
【請求項１】
器具筐体と、
前記器具筐体の中央部に固定された光源と、
前記光源の周りに配置された反射鏡と、
を備えた照明器具であって、
前記反射鏡は、前記光源の略中心位置を共通の１つの略焦点位置とするように複数の回転対称放物面反射部またはその一部を設けたことを特徴とする照明器具。
【請求項２】
前記複数の回転対称放物面反射部またはその一部のうち少なくとも２つは互いに対向しており、前記光源の略中心を通る平面を基準に対称形状をなすことを特徴とする請求項１記載の照明器具。
【請求項３】
前記複数の回転対称放物面反射部は、その外側に位置する部分と、その内側に位置する部分と、を含んでおり、前記外側に位置する部分は一端が器具筐体の間の面近傍に位置するように形成されており、前記内側に位置する部分は前記外側に位置する部分よりも一端の高さを低く形成したことを特徴とする請求項１記載の照明器具。
【請求項４】
前記複数の回転対称放物面反射部の前記内側に位置する部分は複数個で構成され、前記光源から照射方向とは反対方向に向かう光のうち、前記光源に対向しかつ前記光源を投影した領域を除く領域のほとんどを反射するように設けたことを特徴とする請求項３記載の照明器具。
【請求項５】
前記複数の回転対称放物面反射部で光を制御される領域を除く箇所であって、前記光源からの直接光が入射される箇所にレンズを設けたことを特徴とする請求項１記載の照明器具。
【発明の詳細な説明】
【技術分野】
【０００１】
本発明は、例えば道路や歩道やトンネル内の屋外照明に用いられる照明器具に関する。
【背景技術】
【０００２】
従来の照明器具の一例として、中心の第１の発光ダイオードモジュールの周囲に環状の第２の発光ダイオードモジュールモジュールを配置したものが知られている（例えば特許文献１参照）。
【先行技術文献】
【特許文献】
【０００３】
【特許文献１】特開２００４−２４１２８７号公報（図１、請求項１）
【発明の概要】
【発明が解決しようとする課題】
【０００４】
ところが、上記特許文献１に開示された照明器具においては、器具から離れた位置に光を制御することが難しい。そのため、器具の設置間隔を例えばトンネルの穴方向に大きくすると光の照射されない部位を生ずるために、器具の台数を多く必要としてコスト面で不利であり、効率良く照明を行うことができない。
【０００５】
本発明は、前述した課題を解決するためになされたものであり、その目的は、コスト面で有利にすることができるとともに効率良く照明を行うことができる照明器具を提供することにある。
【課題を解決するための手段】
【０００６】
本発明に係る照明器具は、器具筐体と、前記器具筐体の中央部に固定された光源と、前記光源の周りに配置された反射鏡と、を備えた照明器具であって、前記反射鏡は、前記光源の略中心位置を共通の１つの略焦点位置とするように複数の回転対称放物面反射部またはその一部を設けたことを特徴とする。
【０００７】
本発明においては、複数の回転対称放物面反射部を組み合わせることにより、光源からの光を、遠く離れた路面および直下の路面に照射することができる。
従って、光を広い領域に均等に照射して効率良く照明を行うことができる。
【０００８】
本発明に係る照明器具は、上記照明器具において、前記複数の回転対称放物面反射部またはその一部のうち少なくとも２つは互いに対向しており、前記光源の略中心を通る平面を基準に対称形状をなすことを特徴とする。
【０００９】
本発明においては、配光を面対称にすることができるので、例えばトンネル灯や道路灯等の配置手法である千鳥配列や両側配列等において両側で共通の器具を使用することができる。
従って、コスト面で有利な照明器具を提供することができる。
【００１０】
本発明に係る照明器具は、上記照明器具において、前記複数の回転対称放物面反射部は、その外側に位置する部分と、その内側に位置する部分と、を含んでおり、前記外側に位置する部分は一端が器具筐体の間の面近傍に位置するように形成されており、前記内側に位置する部分は前記外側に位置する部分よりも一端の高さを低く形成したことを特徴とする。
【００１１】
本発明においては、複数の回転対称放物面反射部のうちの外側に位置する部分の一端を器具筐体の間の面近傍に位置するように形成し、複数の回転対称放物面反射部のうちの内側に位置する部分を外側に位置する部分よりも一端の高さを低く形成した。
従って、光源からの光により影を生ずることがないので、照明器具を視た際に、影のない明るい照明を演出することができる。
【００１２】
本発明に係る照明器具は、上記照明器具において、前記複数の回転対称放物面反射部の前記内側に位置する部分は複数個で構成され、前記光源から照射方向とは反対方向に向かう光のうち、前記光源に対向しかつ前記光源を投影した領域を除く領域のほとんどを反射するように設けたことを特徴とする。
【００１３】
本発明においては、光源を投影した領域を除く領域のほとんどを反射するように回転対称放物面反射部を設けた。
従って、光源に向けて反射する反射光を作らずに、光源からの光により影を生ずることがないので、照明器具を視た際に、影のない明るい照明を演出することができる。
【００１４】
本発明に係る照明器具は、上記照明器具において、前記複数の回転対称放物面反射部で光を制御される領域を除く箇所であって、前記光源からの直接光が入射される箇所にレンズを設けたことを特徴とする。
【００１５】
本発明においては、光源からの光のうち、回転対称放物面反射部で光を制御される領域を除く箇所にレンズを設けた。
これにより、レンズは光源からの光のうちの反射しない光を光学的に処理して路面に集中的に照射することができる。
従って、光利用率および均斉度等の光学的特性をさらに向上させることができる。
【発明の効果】
【００１６】
本発明の照明器具によれば、器具筐体と、器具筐体の中央部に固定された光源と、光源の周りに配置された反射鏡と、を備え、前記反射鏡は、前記光源の略中心位置を共通の１つの略焦点位置とするように複数の回転対称放物面反射部またはその一部を設けた。
これにより、コスト面で有利にすることができるとともに効率良く照明を行うことができるという効果を有する。
【図面の簡単な説明】
【００１７】
【図１】本発明に係る第１実施形態の照明器具のトンネル内の配置を説明する一部破断外観斜視図
【図２】図１に示した照明器具の幅方向であるＡ−Ａ線断面図
【図３】図１に示した照明器具の長さ方向であるＢ−Ｂ線断面図
【図４】本発明に係る第２実施形態の照明器具の図２相当の幅方向の断面図
【図５】図４に示した照明器具の図３相当の長さ方向の断面図
【図６】本発明に係る第３実施形態の照明器具の図２相当の幅方向の断面図
【図７】図６に示した照明器具の図３相当の長さ方向の断面図
【図８】本発明に係る第４実施形態の照明器具の図２相当の幅方向の断面図
【図９】図８に示した照明器具の図３相当の長さ方向の断面図
【図１０】本発明に係る第５実施形態の照明器具の図２相当の幅方向の断面図
【図１１】図１０に示した照明器具の図３相当の長さ方向の断面図
【図１２】図１０に示した照明器具に適用されるレンズの外観斜視図
【発明を実施するための形態】
【００１８】
以下、本発明の複数の実施形態に係る照明器具について、図面を参照して説明する。
【００１９】
（第１実施形態）
図１に示すように、本発明の第１実施形態である照明器具１０は、トンネル１の内面における斜め上方両側部にトンネル１の穴方向に等間隔で複数取り付けられる。
【００２０】
図２にも示すように、照明器具１０は、器具筺体１１と、前面パネル１２と、光源であるランプ１３と、反射鏡１４と、を備える。
【００２１】
器具筺体１１は四角形で前面が開口した箱形状に形成されている。器具筺体１１はステンレス鋼板の表面にアクリル塗装を施しており、例えば４７０ｍｍの幅寸法、７４０ｍｍの長さ寸法、を有する。器具筺体１１には不図示の点灯装置が装備されている。器具筺体１１はステンレス鋼板に代えて樹脂材料等を用いて成形しても良い。器具筺体１１は不図示のバラストやソケット等を収納する。
【００２２】
前面パネル１２は例えば透明な強化ガラス製であって器具筺体１１の前面に組み付けられている。
【００２３】
ランプ１３は器具筐体１１の中央部に固定されており、ランプ１３の周囲に反射鏡１４を配置している。
【００２４】
反射鏡１４はアルミニウム等の金属材料を基材として、曲げ加工やプレス加工や液圧成形等により基本形状を作成後、切断して組み合わせて作成されている。
【００２５】
反射鏡１４は第１回転対称放物面反射部１５と、第２回転対称放物面反射部１６と、第３回転対称放物面反射部（図３参照）１７と、第４回転対称放物面反射部（図３参照）１８と、を連続的につなぎ合わせて有する。
【００２６】
ここで、回転対称放物面とは、地表で投射した物体の運動が描く軌跡を、その対称軸を中心として回転させた曲面のことをいう。
【００２７】
第１回転対称放物面反射部１５は、器具筺体１１の高さに同等の高さを有してランプ１３側を凹とした１枚の花びら形の湾曲面形状に形成されている。第１回転対称放物面反射部１５は器具筺体１１の天面１９の法線を基準として大きな値に設定した光軸α１を有する。
【００２８】
第１回転対称放物面反射部１５は、ランプ１３からの光を第１回転対称放物面反射部１５の光軸α１の方向に反射させて反射光β１により路面を照射する。実際は、ランプ１３は点ではなく、大きさをもつので光軸α１を中心とした有限の角度範囲内の方向に照射される。
【００２９】
このとき、第１回転対称放物面反射部１５は、ランプ１３からの光を、光軸α１を中心とした方向の反射光β１に変換する。
これにより、光軸α１の方向を器具筺体１１の天面１９の法線を基準として大きな値に設定することで、照明器具１０から遠く離れた路面を確実に照射することができる。
【００３０】
第２回転対称放物面反射部１６は、第１回転対称放物面反射部１５と同一形状であって第１回転対称放物面反射部１５に対向配置されている。第２回転対称放物面反射部１６はランプ１３を中心として光軸α１に面対照であって、器具筺体１１の天面１９の法線を基準として大きな値に設定した光軸α２を有する。
【００３１】
第２回転対称放物面反射部１６は、ランプ１３からの光を第２回転対称放物面反射部１５の光軸α２の方向に反射させて反射光β２により路面を照射する。
【００３２】
このとき、第２回転対称放物面反射部１５は、ランプ１３からの光を、光軸α２を中心とした方向の反射光β２に変換する。
これにより、光軸α２の方向を器具筺体１１の天面１９の法線を基準として大きな値に設定することで、照明器具１０から遠く離れた路面を確実に照射することができる。
【００３３】
第１回転対称放物面反射部１５と第２回転対称放物面反射部１６とは、ランプ１３を中心として面対称に配置されている。
そのため、面対称の配光により、照明器具１０から遠く離れた路面を効率的に明るく照射することができる。
【００３４】
図３にも示すように、第３回転対称放物面反射部１７は、器具筺体１１の高さよりもわずかに低い高さを有してランプ１３側を凹とした１枚の花びら形の湾曲面形状に形成されている。
【００３５】
第３回転対称放物面反射部１７はランプ１３の中心位置を焦点としており、器具筺体１１の天面１９から路面に直下する方向の光軸α３を有する。
【００３６】
第３回転対称放物面反射部１７は、ランプ１３からの光を第３回転対称放物面反射部１７の光軸α３の方向に反射させて反射光β３により路面を照射する。
【００３７】
このとき、第３回転対称放物面反射部１７は、ランプ１３からの光を光軸α３の方向の反射光β３に変換する。
これにより、照明器具１０の直下の路面を確実に照射することができる。
【００３８】
第４回転対称放物面反射部１８は、第３回転対称放物面反射部１７と同一形状であって第３回転対称放物面反射部１７に対向配置されている。
【００３９】
第４回転対称放物面反射部１８はランプ１３の中心位置を焦点としており、器具筺体１１の天面１９から路面に直下する方向であって光軸α３と共通のα４を有する。
【００４０】
第４回転対称放物面反射部１８は、ランプ１３からの光を第４回転対称放物面反射部１８の光軸α４の方向に反射させて反射光β４により路面を照射する。
【００４１】
このとき、第４回転対称放物面反射部１８は、ランプ１３からの光を光軸α４の方向の反射光β４に変換する。
これにより、照明器具１０の直下の路面を確実に照射することができる。
【００４２】
第３回転対称放物面反射部１７と第４回転対称放物面反射部１８とは、ランプ１３を中心として面対称に配置されている。
そのため、面対称の配光により、照明器具１０の直下の路面を効率的に明るく照射することができる。
【００４３】
本実施形態の照明器具１０では、第１回転対称放物面反射部１５と第２回転対称放物面反射部１６との組み合わせおよび第３回転対称放物面反射部１７と第４回転対称放物面反射部１８との組み合わせにより、ランプ１３からの光を、遠く離れた路面および直下の路面に照射することができる。
これにより、広い領域に均等に照射して効率良く照明を行うことができる。
【００４４】
本実施形態の照明器具１０では、配光を面対称にすることができるので、トンネル灯や道路灯等の配置手法である千鳥配列や両側配列等において両側で共通の器具を使用することができる。
これにより、コスト面で有利な照明器具１０を提供することができる。
【００４５】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００４６】
図４に示すように、本発明の第２実施形態の照明器具３０は、第１回転対称放物面反射部３１と第２回転対称放物面反射部３２との間に単一の中央反射部３３を備えている。
【００４７】
図５にも示すように、中央反射部３３は第３回転対称放物面反射部３４と第４回転対称放物面反射部３５との間に配置されている。
【００４８】
中央反射部３３は平面の反射板であって、器具筺体１１の天面１９と同一面を形成するように器具筺体１１に組み付けられている。
これにより、各回転対称放物面反射部３１，３２，３４，３５は中央反射部３３を介して器具筺体１１に簡単に取り付けられている。
【００４９】
中央反射部３３は、ランプ１３からの光を、第１回転対称放物面反射部３１と第２回転対称放物面反射部３２および第３回転対称放物面反射部３４と第４回転対称放物面反射部３５とによる照射範囲よりも広い範囲の反射光β５に変換する。
【００５０】
本実施形態の照明器具３０では、第１回転対称放物面反射部３１と第２回転対称放物面反射部３２との組み合わせおよび第３回転対称放物面反射部３４と第４回転対称放物面反射部３５との組み合わせに加えて中央反射部３３を備えることにより、ランプ１３からの光を、遠く離れた路面および直下の路面に広範囲に照射することができる。
これにより、広い領域に均等に照射して効率良く照明を行うことができる。
【００５１】
（第３実施形態）
次に、本発明の第３実施形態の照明器具について説明する。
【００５２】
図６に示すように、本発明の第３実施形態の照明器具４０は、第１回転対称放物面反射部４１と第２回転対称放物面反射部４２に加え、第５回転対称放物面反射部４３と第６回転対称放物面反射部４４と第７回転対称放物面反射部４５と第８回転対称放物面反射部４６とを天面１９に取り付けている。
【００５３】
図７にも示すように、第５回転対称放物面反射部４３と第６回転対称放物面反射部４４と第７回転対称放物面反射部４５と第８回転対称放物面反射部４６とは第３回転対称放物面反射部４７と第４回転対称放物面反射部４８との間に配置されている。
【００５４】
第５回転対称放物面反射部４３は、第３回転対称放物面反射部４７の光軸α３および第４回転対称放物面反射部４８の光軸α４を中心として左右に対称であって、ランプ１３側を凹としたお椀形状に形成されている。第５回転対称放物面反射部４３は第３、第４回転対称放物面反射部４７，４８と共通の光軸α５を有する。
【００５５】
第６回転対称放物面反射部４４は、第５回転対称放物面反射部４３に同芯にして第５回転対称放物面反射部４３よりも大きい外径寸法を有し、ランプ１３側を凹としたお椀形状に形成されている。第６回転対称放物面反射部４４は、内側に配置されている第５回転対称放物面反射部４３よりも高さ寸法が小さくなっている。第６回転対称放物面反射部４４は第３、第４、第５回転対称放物面反射部４７，４８，４３と共通の光軸α６を有する。
【００５６】
第７回転対称放物面反射部４５は、第５回転対称放物面反射部４３に同芯にして第６回転対称放物面反射部４４よりも大きい外径寸法を有し、ランプ１３側を凹としたお椀形状に形成されている。第７回転対称放物面反射部４５は、内側に配置されている第６回転対称放物面反射部４４よりも高さ寸法が小さくなっている。第７回転対称放物面反射部４５は第３、第４、第５、第６回転対称放物面反射部４７，４８，４３，４４と共通の光軸α７を有する。
【００５７】
第８回転対称放物面反射部４６は、第５回転対称放物面反射部４３に同芯にして第７回転対称放物面反射部４５よりも大きい外径寸法を有し、ランプ１３側を凹としたお椀形状に形成されている。第８回転対称放物面反射部４６は、内側に配置されている第７回転対称放物面反射部４５よりも高さ寸法が小さくなっている。第８回転対称放物面反射部４６は第３、第４、第５、第６、第７回転対称放物面反射部４７，４８，４３，４４，４５と共通の光軸α８を有する。
【００５８】
第５回転対称放物面反射部４３は、ランプ１３からの光を、光軸α５の方向の反射光β５に変換する。
これにより、照明器具４０の直下の路面を確実に照射することができる。
【００５９】
第６回転対称放物面反射部４４は、ランプ１３からの光を、光軸α６の方向の反射光β６に変換する。
これにより、照明器具４０の直下の路面を確実に照射することができる。
【００６０】
第７回転対称放物面反射部４５は、ランプ１３からの光を、光軸α７の方向の反射光β７に変換する。
これにより、照明器具４０の直下の路面を確実に照射することができる。
【００６１】
第８回転対称放物面反射部４６は、ランプ１３からの光を、光軸α８の方向の反射光β８に変換する。
これにより、照明器具４０の直下の路面を確実に照射することができる。
【００６２】
このとき、第６回転対称放物面反射部４４は第５回転対称放物面反射部４３よりも高さ寸法が小さくなっており、同様に第７回転対称放物面反射部４５は第６回転対称放物面反射部４４よりも高さ寸法が小さくなっており、同様に第８回転対称放物面反射部４６は第７回転対称放物面反射部４５よりも高さ寸法が小さくなっている。
これにより、ランプ１３からの光により影を生ずることがない。
【００６３】
本実施形態の照明器具４０では、第１回転対称放物面反射部４１と第２回転対称放物面反射部４２との組み合わせおよび第３回転対称放物面反射部４７と第４回転対称放物面反射部４８との組み合わせに加えて、第５回転対称放物面反射部４３と第６回転対称放物面反射部４４と第７回転対称放物面反射部４５と第８回転対称放物面反射部４６とを天面１９に取り付けた。
これにより、ランプ１３からの光を効率良く反射して広い領域に均等に照射して照明を行うことができる。
【００６４】
本実施形態の照明器具４０では、第６回転対称放物面反射部４４の高さ寸法を第５回転対称放物面反射部４３よりも小さくし、同様に第７回転対称放物面反射部４５の高さ寸法を第６回転対称放物面反射部４４よりも小さくし、同様に第８回転対称放物面反射部４６の高さ寸法を第７回転対称放物面反射部４５よりも小さくした。
これにより、ランプ１３からの光により影を生ずることがないので、照明器具４０を視た際に、影のない明るい照明を演出することができる。
【００６５】
（第４実施形態）
次に、本発明の第４実施形態の照明器具について説明する。
【００６６】
図８に示すように、本発明の第４実施形態の照明器具５０は、第１回転対称放物面反射部５１と第２回転対称放物面反射部５２に加え、第５回転対称放物面反射部５３と第６回転対称放物面反射部５４と第７回転対称放物面反射部５５とを天面１９に取り付けている。
【００６７】
図９にも示すように、第５回転対称放物面反射部５３と第６回転対称放物面反射部５４と第７回転対称放物面反射部５５とは第３回転対称放物面反射部５６と第４回転対称放物面反射部５７との間に配置されている。
【００６８】
第５回転対称放物面反射部５３は、第３回転対称放物面反射部５７の光軸α３および第４回転対称放物面反射部５８の光軸α４を中心として左右に対称であって、ランプ１３側を凹としたお椀形状に形成されている。第５回転対称放物面反射部５３は第３、第４回転対称放物面反射部５７，５８と共通の光軸α５を有する。
【００６９】
第６回転対称放物面反射部５４は、第５回転対称放物面反射部５３に同芯にして第５回転対称放物面反射部５３よりも大きい外径寸法を有し、ランプ１３側を凹としたお椀形状に形成されている。第６回転対称放物面反射部５４は、内側に配置されている第５回転対称放物面反射部５３よりも高さ寸法が小さくなっている。第６回転対称放物面反射部５４は第３、第４、第５回転対称放物面反射部５６，５７，５３と共通の光軸α６を有する。
【００７０】
第７回転対称放物面反射部５５は、第５回転対称放物面反射部５３に同芯にして第６回転対称放物面反射部５４よりも大きい外径寸法を有し、ランプ１３側を凹としたお椀形状に形成されている。第７回転対称放物面反射部５５は、内側に配置されている第６回転対称放物面反射部５４よりも高さ寸法が小さくなっている。第７回転対称放物面反射部５５は第３、第４、第５、第６回転対称放物面反射部５６，５７，５３，５６と共通の光軸α７を有する。
【００７１】
第５回転対称放物面反射部５３は、ランプ１３からの光を、光軸α５の方向の反射光β５に変換する。
これにより、照明器具５０の直下の路面を確実に照射することができる。
【００７２】
第６回転対称放物面反射部５４は、ランプ１３からの光を、光軸α６の方向の反射光β６に変換する。
これにより、照明器具５０の直下の路面を確実に照射することができる。
【００７３】
第７回転対称放物面反射部５５は、ランプ１３からの光を、光軸α７の方向の反射光β７に変換する。
これにより、照明器具５０の直下の路面を確実に照射することができる。
【００７４】
本実施形態の照明器具５０では、第１回転対称放物面反射部５１と第２回転対称放物面反射部５２との組み合わせおよび第３回転対称放物面反射部５６と第４回転対称放物面反射部５７との組み合わせに加えて、第５回転対称放物面反射部５３と第６回転対称放物面反射部５４と第７回転対称放物面反射部５５とを天面１９に取り付けた。
これにより、ランプ１３からの光を効率良く反射して広い領域に均等に照射して照明を行うことができる。
【００７５】
本実施形態の照明器具５０では、ランプ１３を投影した領域に回転対称放物面反射部を配置していない。
これにより、ランプ１３に向けて反射する反射光を作らずに、ランプ１３からの光により影を生ずることがないので、照明器具４０を視た際に影のない明るい照明を演出することができる。
【００７６】
（第５実施形態）
次に、本発明の第５実施形態の照明器具について説明する。
【００７７】
図１０、図１１に示すように、本発明の第５実施形態の照明器具６０は、第１回転対称放物面反射部６１と第２回転対称放物面反射部６２と第３回転対称放物面反射部６３と第４回転対称放物面反射部６４と単一の中央反射部６５とに加えて、単一のレンズ６６を備えている。
【００７８】
図１２に示すように、レンズ６６はランプ１３側を平面とした楕円形状の凸レンズである。
【００７９】
レンズ６６は、ランプ１３からの光のうち、第１回転対称放物面反射部６１、第２回転対称放物面反射部６２、第３回転対称放物面反射部６３、第４回転対称放物面反射部６４および中央反射部６５により制御でき難い残りの光を制御して制御光β９を創生する。
これにより、レンズ６６はランプ１３からの光のうちの反射しない光を光学的に処理して路面に集中的に照射することができる。
【００８０】
本実施形態の照明器具６０では、第１回転対称放物面反射部５１と第２回転対称放物面反射部５２との組み合わせおよび第３回転対称放物面反射部５６と第４回転対称放物面反射部５７との組み合わせに加えて、第５回転対称放物面反射部５３と第６回転対称放物面反射部５４と第７回転対称放物面反射部５５とを天面１９に取り付けた。
これにより、レンズ６６によりランプ１３からの光のうちの反射しない光を光学的に処理して路面に集中的に照射し、光利用率および均斉度等の光学的特性をさらに向上させることができる。
【００８１】
なお、前記各実施形態で使用した器具筺体１１、ランプ１３等は例示したものに限定するものではなく適宜変更が可能である。
【符号の説明】
【００８２】
１０、３０、４０、５０、６０  照明器具
１１  器具筐体
１３  ランプ（光源）
１４  反射板
１５、３１、４１、５１、６１  第１回転対称放物面反射部（回転対称放物面反射部）
１６、３２、４２、５２、６２  第２回転対称放物面反射部（回転対称放物面反射部）
１７、３４、４７、５６、６３  第３回転対称放物面反射部（回転対称放物面反射部）
１８、３５、４８、５７、６４  第４回転対称放物面反射部（回転対称放物面反射部）
４３、５３  第５回転対称放物面反射部（回転対称放物面反射部）
４４、５４  第６回転対称放物面反射部（回転対称放物面反射部）
４５、５５  第７回転対称放物面反射部（回転対称放物面反射部）
４６  第８回転対称放物面反射部（回転対称放物面反射部）
６６  レンズ
【図１】
2010170953.tif 000003
【図２】
2010170953.tif 000004
【図３】
2010170953.tif 000005
【図４】
2010170953.tif 000006
【図５】
2010170953.tif 000007
【図６】
2010170953.tif 000008
【図７】
2010170953.tif 000009
【図８】
2010170953.tif 000010
【図９】
2010170953.tif 000011
【図１０】
2010170953.tif 000012
【図１１】
2010170953.tif 000013
【図１２】
2010170953.tif 000014